(57)【特許請求の範囲】
【請求項１】
入力信号を複数のレベルのうちいずれか一つに量子化するスライサと、
前記入力信号から前記量子化された信号を減算してエラー信号を生成する減算器と、
前記エラー信号の自乗値を計算する自乗器と、
現在エラー信号の自乗値と、ＮＴＳＣ水平走査周期以前のエラー信号の自乗値とを平均化して、平均値を生成するエラー平均化部と、
前記平均値から前記エラー信号に反比例する信号を、チャンネル状態情報信号として生成する反転部と、を具備することを特徴とするＶＳＢ信号のためのチャンネル状態の生成回路。
【請求項２】
前記エラー平均化部は、
前記現在エラー信号の自乗値と第１係数とを第１乗算する第１乗算器と、
第２乗算された値と前記第１乗算された値とを合算し、前記合算値を前記平均値として出力する合算器と、
前記合算値をＮＴＳＣ水平走査周期だけ遅延させて出力する遅延部と、
前記遅延された信号と第２係数とを乗算して、前記第２乗算された値を生成する第２乗算器と、を具備することを特徴とする請求項１に記載のＶＳＢ信号のためのチャンネル状態の生成回路。
【請求項３】
入力信号を第１遅延時間だけ遅延させて、第１遅延された信号を出力する第１遅延部と、
前記第１遅延された信号からトレリスデコーディングされた信号を減算して、エラー信号を生成する減算器と、
前記エラー信号の自乗値を計算する自乗器と、
現在エラー信号の自乗値と、ＮＴＳＣ水平走査周期以前のエラー信号の自乗値とを平均化して、平均値を生成するエラー平均化部と、
前記平均値から前記エラー信号に反比例する信号を、チャンネル状態情報信号として生成する反転部と、を具備することを特徴とするＶＳＢ信号のためのチャンネル状態の生成回路。
【請求項４】
前記エラー平均化部は、
前記現在エラー信号の自乗値と第１係数とを第１乗算する第１乗算器と、
第２乗算された値と前記第１乗算された値とを合算して、前記合算値を出力する合算器と、
前記合算値を第２遅延時間だけ遅延させて前記平均値として出力し、前記第２遅延時間だけ遅延された値を前記第１遅延時間だけさらに遅延させて、第２遅延された信号を出力する第２遅延部と、
前記第２遅延された信号と第２係数とを乗算して、前記第２乗算された値を生成する第２乗算器と、を具備することを特徴とする請求項３に記載のＶＳＢ信号のためのチャンネル状態の生成回路。
【請求項５】
前記第１係数と第２係数との和は、１であることを特徴とする請求項２に記載のＶＳＢ信号のためのチャンネル状態の生成回路。
【請求項６】
前記第１係数と第２係数との和は、１であることを特徴とする請求項４に記載のＶＳＢ信号のためのチャンネル状態の生成回路。
【請求項７】
前記第１遅延時間と前記第２遅延時間との和は、前記ＮＴＳＣ水平走査周期であることを特徴とする請求項４に記載のＶＳＢ信号のためのチャンネル状態の生成回路。
【請求項８】
トレリスデコーディングされた信号を利用して、入力ＶＳＢ信号のシンボル間干渉を補償し、補償されたＶＳＢ信号を生成する決定フィードバック等化器と、
ＮＴＳＣライン同期信号の干渉程度によって変わるＶＳＢシンボルの信頼性に比例するチャンネル状態情報信号を、前記補償されたＶＳＢ信号から生成するチャンネル状態の生成回路と、
前記補償されたＶＳＢ信号及び前記チャンネル状態情報信号を利用して、ＴＣＭデコーディングして、前記トレリスデコーディングされた信号を生成するトレリスデコーダと、を具備することを特徴とするＤＴＶ受信機。
【請求項９】
前記チャンネル状態の生成回路は、
前記補償されたＶＳＢ信号を所定レベルに量子化し、前記補償されたＶＳＢ信号から前記量子化された信号を減算してエラー信号を生成し、現在エラー信号の自乗値とＮＴＳＣ水平走査周期以前のエラー信号との自乗値を平均化して、前記平均値から、前記エラー信号に反比例する信号を、前記チャンネル状態情報信号として生成することを特徴とする請求項８に記載のＤＴＶ受信機。
【請求項１０】
前記チャンネル状態の生成回路は、
前記補償されたＶＳＢ信号及び前記トレリスデコーディングされた信号を利用してエラー信号を生成し、現在エラー信号の自乗値とＮＴＳＣ水平走査周期以前のエラー信号の自乗値とを平均化して、前記平均値から、前記エラー信号に反比例する信号を、前記チャンネル状態情報信号として生成することを特徴とする請求項８に記載のＤＴＶ受信機。
【請求項１１】
前記ＤＴＶ受信機は、
前記チャンネル状態情報信号及び前記補償されたＶＳＢ信号を利用して、第２エラー信号を生成する信頼性決定部をさらに具備し、前記決定フィードバック等化器は、前記トレリスデコーディングされた信号及び前記第２エラー信号を利用して、前記入力ＶＳＢ信号のシンボル間干渉を補償し、前記補償されたＶＳＢ信号を生成することを特徴とする請求項８に記載のＤＴＶ受信機。
【請求項１２】
前記信頼性決定部は、
前記チャンネル状態情報信号を、所定レベルでスケーリングして出力するスケーリング部と、
前記補償されたＶＳＢ信号を、複数のレベルのうちいずれか一つに量子化する決定部と、
前記補償されたＶＳＢ信号から、前記量子化された信号を減算して出力する減算器と、
前記スケーリングされた信号と前記減算された信号とを乗算して、前記乗算された信号を、前記第２エラー信号として出力する乗算器と、を具備することを特徴とする請求項１１に記載のＤＴＶ受信機。
【請求項１３】
入力信号を、複数のレベルのうちいずれか一つに量子化するステップと、
前記入力信号から前記量子化された信号を減算してエラー信号を生成するステップと、
前記エラー信号の自乗値を計算するステップと、
現在エラー信号の自乗値と、ＮＴＳＣ水平走査周期以前のエラー信号の自乗値とを平均化して、平均値を生成するステップと、
前記平均値から、前記エラー信号に反比例する信号を、チャンネル状態情報信号として生成するステップと、を具備することを特徴とするＶＳＢ信号のためのチャンネル状態の評価方法。
【請求項１４】
前記平均値生成ステップは、
前記現在エラー信号の自乗値と第１係数とを第１乗算するステップと、
第２乗算された値と前記第１乗算された値とを合算し、前記合算値を前記平均値として出力するステップと、
前記合算値を、ＮＴＳＣ水平走査周期だけ遅延させて出力するステップと、
前記遅延された信号と第２係数とを乗算して、前記第２乗算された値を生成するステップと、を具備することを特徴とする請求項１３に記載のＶＳＢ信号のためのチャンネル状態の評価方法。
【請求項１５】
入力信号を第１遅延時間だけ遅延させて、第１遅延された信号を出力するステップと、
前記第１遅延された信号から、トレリスデコーディングされた信号を減算して、エラー信号を生成するステップと、
前記エラー信号の自乗値を計算するステップと、
現在エラー信号の自乗値と、ＮＴＳＣ水平走査周期以前のエラー信号の自乗値とを平均化して、平均値を生成するステップと、
前記平均値から、前記エラー信号に反比例する信号を、チャンネル状態情報信号として生成するステップと、を具備することを特徴とするＶＳＢ信号のためのチャンネル状態の評価方法。
【請求項１６】
前記平均値生成ステップは、
前記現在エラー信号の自乗値と第１係数とを第１乗算するステップと、
第２乗算された値と前記第１乗算された値とを合算し、前記合算値を出力するステップと、
前記合算値を第２遅延時間だけ遅延させて、前記平均値として出力するステップと、
前記第２遅延時間だけ遅延された値を、前記第１遅延時間だけさらに遅延させて、第２遅延された信号を出力するステップと、
前記第２遅延された信号と第２係数とを乗算して、前記第２乗算された値を生成するステップと、を具備することを特徴とする請求項１５に記載のＶＳＢ信号のためのチャンネル状態の評価方法。
【請求項１７】
前記第１係数と第２係数との和は、１であることを特徴とする請求項１４に記載のＶＳＢ信号のためのチャンネル状態の評価方法。
【請求項１８】
前記第１係数と第２係数との和は、１であることを特徴とする請求項１６に記載のＶＳＢ信号のためのチャンネル状態の評価方法。
【請求項１９】
前記第１遅延時間と前記第２遅延時間との和は、前記ＮＴＳＣ水平走査周期であることを特徴とする請求項１６に記載のＶＳＢ信号のためのチャンネル状態の評価方法。
【請求項２０】
トレリスデコーディングされた信号を利用して、入力ＶＳＢ信号のシンボル間干渉を補償し、補償されたＶＳＢ信号を生成するステップと、
ＮＴＳＣライン同期信号の干渉程度によって変わるＶＳＢシンボルの信頼性に比例するチャンネル状態情報信号を、前記補償されたＶＳＢ信号から生成するステップと、
前記補償されたＶＳＢ信号及び前記チャンネル状態情報信号を利用して、ＴＣＭデコーディングし、前記トレリスデコーディングされた信号を生成するステップと、を具備することを特徴とするＤＴＶ放送信号の受信方法。
【請求項２１】
前記チャンネル状態情報信号の生成ステップは、
前記補償されたＶＳＢ信号を、所定レベルに量子化するステップと、
前記補償されたＶＳＢ信号から、前記量子化された信号を減算して、エラー信号を生成するステップと、
現在エラー信号の自乗値と、ＮＴＳＣ水平走査周期以前のエラー信号の自乗値とを平均化して、平均値を生成するステップと、
前記平均値から、前記エラー信号に反比例する信号を、前記チャンネル状態情報信号として生成するステップと、を含むことを特徴とする請求項２０に記載のＤＴＶ放送信号の受信方法。
【請求項２２】
前記チャンネル状態情報信号の生成ステップは、
前記補償されたＶＳＢ信号及び前記トレリスデコーディングされた信号を利用して、エラー信号を生成するステップと、
現在エラー信号の自乗値と、ＮＴＳＣ水平走査周期以前のエラー信号の自乗値とを平均化して、平均値を生成するステップと、
前記平均値から、前記エラー信号に反比例する信号を、前記チャンネル状態情報信号として生成するステップと、を含むことを特徴とする請求項２０に記載のＤＴＶ放送信号の受信方法。
【請求項２３】
前記ＤＴＶ受信方法は、
前記チャンネル状態情報信号及び前記補償されたＶＳＢ信号を利用して、第２エラー信号を生成するステップをさらに具備し、前記補償されたＶＳＢ信号は、前記トレリスデコーディングされた信号及び前記第２エラー信号が利用されて生成されることを特徴とする請求項２０に記載のＤＴＶ放送信号の受信方法。
【請求項２４】
前記第２エラー信号の生成ステップは、
前記チャンネル状態情報信号を、所定レベルでスケーリングして出力するステップと、
前記補償されたＶＳＢ信号を、複数のレベルのうちいずれか一つに量子化するステップと、
前記補償されたＶＳＢ信号から、前記量子化された信号を減算して出力するステップと、
前記スケーリングされた信号と前記減算された信号とを乗算し、前記乗算された信号を、前記第２エラー信号として出力するステップと、を含むことを特徴とする請求項２３に記載のＤＴＶ放送信号の受信方法。
【発明の詳細な説明】
【技術分野】
【０００１】
本発明は、テレビ受信機に係り、特にデジタルテレビ（Ｄｉｇｉｔａｌ Ｔｅｌｅｖｉｓｉｏｎ；以下“ＤＴＶ”という）受信機に関する。
【背景技術】
【０００２】
最近、アナログ放送時代からデジタル放送時代への転移過程で、ＤＴＶ受信装置やデジタルセットトップボックスに関する研究が多く行われつつある。現在、韓国をはじめとして全世界的にＤＴＶ放送が試みられており、今後、数年後にはＤＴＶ放送が既存のアナログ放送に完全に置替わると見込まれる。既存のアナログＴＶ受像機を持っている多くの需要者のために、今後、当分はアナログ放送とＤＴＶ放送とが混在し、特に、意欲的な需要者は、ＤＴＶ受信機を内蔵したＴＶ受像機やデジタルセットトップボックスを購入して、ＤＴＶ放送の鮮明な画質を楽しむことができる。
【０００３】
既存のアナログ放送信号には、ＮＴＳＣ（Ｎａｔｉｏｎａｌ Ｔｅｌｅｖｉｓｉｏｎ Ｓｙｓｔｅｍ Ｃｏｍｍｉｔｔｅｅ）方式、ＰＡＬ（Ｐｈａｓｅ Ａｌｔｅｒｎａｔｉｏｎ ｂｙ Ｌｉｎｅ ｓｙｓｔｅｍ）方式、ＳＥＣＡＭ（Ｓｅｑｕｅｎｔｉａｌ Ｃｏｕｌｅｕｒ Ａ Ｍｅｍｏｉｒｅ）方式などの信号があり、ＤＴＶ放送信号には、ＡＴＳＣ（Ａｄｖａｎｃｅｄ Ｔｅｌｅｖｉｓｉｏｎ Ｓｙｓｔｅｍ Ｃｏｍｍｉｔｔｅｅ）で規定する８レベル残留側波帯（Ｖｅｓｔｉｇｉａｌ Ｓｉｄｅ Ｂａｎｄ；以下“ＶＳＢ”）信号がある。ＤＴＶ受信機を内蔵したＴＶ受像機やデジタルセットトップボックスでは、ユーザの選択によって前記のようなアナログ放送信号とＤＴＶ放送信号とをいずれも処理できる構成を持つ。今後、ＤＴＶ放送時代が完全に開幕されれば、デジタルセットトップボックスでアナログ放送信号を受信する構成はなくなり、さらに既存のアナログＴＶ受像機は、内蔵型ＤＴＶ受像機に代替されて、デジタルセットトップボックス自体が要らなくなる。
【０００４】
ところが、現在の過渡期では、ＤＴＶ放送、衛星放送、ケーブルＴＶ放送、無線ＬＡＮ（Ｌｏｃａｌ Ａｒｅａ Ｎｅｔｗｏｒｋ）など多様な空中波の乱立によって、搬送波として使われる信号の周波数帯域の配分が難しくなるにつれて、アナログ放送信号とＤＴＶ放送信号とが、同チャンネル（ｃｏ−ｃｈａｎｎｅｌ）、すなわち、ＵＨＦ（Ｕｌｔｒａ Ｈｉｇｈ Ｆｒｅｑｕｅｎｃｙ）またはＶＨＦ（Ｖｅｒｙ Ｈｉｇｈ Ｆｒｅｑｕｅｎｃｙ）チャンネルに割り当てられて、空中に送出されている。ＮＴＳＣのようなアナログ放送信号とＤＴＶ放送信号とが同チャンネルに存在する場合において、アナログＴＶ受信機で本来のディスプレイ信号に復調する時、ＤＴＶ放送信号は、極小のノイズ成分として作用するために、ＤＴＶ放送信号が同チャンネルにあっても、アナログ放送信号の受信には問題がない。逆に、前記の場合において、ＤＴＶ受信機で、ＤＴＶ放送信号から本来のディスプレイ信号に復調する時、ＮＴＳＣサービスによる同チャンネル干渉のレベルはかなり大きいために、ＮＴＳＣ信号を効果的になくす必要がある。
【０００５】
図１は、従来のＤＴＶ受信機１００を示す一例である。図１を参照すれば、ＤＴＶ受信機１００は、チューナ１０１、ＶＳＢ復調器１０２、同期及びタイミング復元器１０３、ＮＴＳＣ信号除去のための１２シンボル−遅延コームフィルタ（ＣＯＭＢ）１０４、等化器（ＥＱ）１０５、８状態トレリスデコーダ１０６、デインターリーバ１０７、及びＲＳ（Ｒｅｅｄ−Ｓｏｌｏｍｏｎ）デコーダ１０８を具備する。１２シンボル−遅延コームフィルタ１０４の出力では、ＮＴＳＣ信号のビデオ、クロマ、及びオーディオキャリアの位置で大きいスペクトル雑音を表わすために、コームフィルタ１０４を経たＮＴＳＣ信号のパワーは大きく減る。コームフィルタ１０４を経たＶＳＢ信号は、１５レベルのシンボルストリームの形で出力され、これを検出するために８状態トレリスデコーダ１０６が利用される。しかし、ＮＴＳＣ同チャンネルの干渉を除去するためのこのような従来の受信機１００構造では、受信された信号のＳＮＲ（ｓｉｇｎａｌ−ｔｏ−ｎｏｉｓｅ ｒａｔｉｏ）が２０ｄＢ以上である場合には、優秀な性能を表わすが、ＳＮＲが１９ｄＢ以下である場合には、３．５ｄＢ以上の相当な性能減少を表わす。したがって、このような受信機１００の構造では、ＮＴＳＣ信号を検出し、それを除去するためにスイッチングするスキームが必要となるという問題点がある。
【０００６】
図２は、従来のＤＴＶ受信機２００を示す他の例である。図２を参照すれば、ＤＴＶ受信機２００は、チューナ２０１、ＶＳＢ復調器２０２、同期及びタイミング復元器２０３、決定フィードバック等化器（Ｄｅｃｉｓｏｎ Ｆｅｅｄｂａｃｋ Ｅｑｕａｌｉｚｅｒ：ＤＦＥ）２０４、４状態トレリスデコーダ２０５、デインターリーバ２０６、及びＲＳデコーダ２０７を具備する。ＤＴＶ受信機２００は、ＴＣＭ（Ｔｒｅｌｌｉｓ Ｃｏｄｅｄ Ｍｏｄｕｌａｔｉｏｎ）デコーダ２０５の出力が、決定フィードバック等化器２０４にフィードバックされる構造を持つ。図１の１２シンボル−遅延コームフィルタ１０４の出力では、ＮＴＳＣ信号のビデオ、クロマ、及びオーディオキャリアの位置に大きいスペクトル雑音を表わしたが、決定フィードバック等化器２０４は、このようなスペクトル雑音を補償する。決定フィードバック等化器２０４は、ＡＷＧＮ（Ａｄｄｉｔｉｖｅ Ｗｈｉｔｅ Ｇａｕｓｓｉａｎ Ｎｏｉｓｅ）環境のチャンネルで性能減少がなく、これにより、ＮＴＳＣ信号検出及びそれを除去するためにスイッチングするスキームが要求されない。決定フィードバック等化器２０４が、多重経路及びＮＴＳＣ環境下で適切に動作するために、所定等化変数及び適応アルゴリズムが選択されなければならない。これについては、本発明の範囲を逸脱するので説明を省略する。このような方式の受信機２００では、決定フィードバック等化器２０４によって、ＮＴＳＣ同チャンネル干渉がかなり減る。しかし、ＮＴＳＣ信号が時間的変化を示す特性のために、決定フィードバック等化器２０４による同チャンネル干渉補償は不完全であり、これにより、まだ決定フィードバック等化器２０４の出力信号で、同チャンネル干渉によるノイズを除去する必要性がある。このようなノイズは、主にＮＴＳＣライン同期信号の立ち上がり及び立ち下がりエッジによって発生する。ＮＴＳＣライン同期信号は、ＮＴＳＣ水平走査率を持つクロック信号であり、ＡＴＳＣ−ＨＤＴＶ（Ｈｉｇｈ Ｄｅｆｉｎｉｔｉｏｎ Ｔｅｌｅｖｉｓｉｏｎ）規格によれば、その周期が８−ＶＳＢ信号の６８４シンボルに該当する。
【発明の開示】
【発明が解決しようとする課題】
【０００７】
したがって、本発明が解決しようとする技術的課題は、ＮＴＳＣ同チャンネル干渉を持つチャンネルで、性能改善のためのチャンネル状態の生成回路を提供することにある。
本発明が解決しようとする他の技術的課題は、前記チャンネル状態の生成回路を具備したＡＴＳＣ規格の８−ＶＳＢ信号のＤＴＶ受信機を提供することにある。
本発明が解決しようとするさらに他の技術的課題は、ＮＴＳＣ同チャンネル干渉を持つチャンネルで、性能改善のためのチャンネル状態の評価方法を提供することにある。
本発明が解決しようとするさらに他の技術的課題は、前記チャンネル状態の評価方法を利用して、ＡＴＳＣ規格の８−ＶＳＢ信号処理を行うＤＴＶの受信方法を提供することにある。
【課題を解決するための手段】
【０００８】
前記の技術的課題を達成するための、本発明の一面によるチャンネル状態の生成回路は、スライサ、減算器、自乗器、エラー平均化部、及び反転部を具備することを特徴とする。前記スライサは、入力信号を複数のレベルのうちいずれか一つに量子化する。前記減算器は、前記入力信号から前記量子化された信号を減算してエラー信号を生成する。前記自乗器は、前記エラー信号の自乗値を計算する。前記エラー平均化部は、現在エラー信号の自乗値と、ＮＴＳＣ水平走査周期以前のエラー信号の自乗値とを平均化して、平均値を生成する。前記反転部は、前記平均値から前記エラー信号に反比例する信号を、チャンネル状態情報信号として生成する。
【０００９】
前記の技術的課題を達成するための、本発明の他の一面によるチャンネル状態の生成回路は、第１遅延部、減算器、自乗器、エラー平均化部、及び反転部を具備することを特徴とする。前記第１遅延部は、入力信号を第１遅延時間だけ遅延させて、第１遅延された信号を出力する。前記減算器は、前記第１遅延された信号からトレリスデコーディングされた信号を減算して、エラー信号を生成する。前記自乗器は、前記エラー信号の自乗値を計算する。前記エラー平均化部は、現在エラー信号の自乗値と、ＮＴＳＣ水平走査周期以前のエラー信号の自乗値とを平均化して、平均値を生成する。前記反転部は、前記平均値から前記エラー信号に反比例する信号を、チャンネル状態情報信号として生成する。
【００１０】
前記の他の技術的課題を達成するための、本発明によるＤＴＶ受信機は、決定フィードバック等化器、チャンネル状態の生成回路、及びトレリスデコーダを具備することを特徴とする。前記決定フィードバック等化器は、トレリスデコーディングされた信号を利用して、入力ＶＳＢ信号のシンボル間干渉を補償し、補償されたＶＳＢ信号を生成する。前記チャンネル状態の生成回路は、ＮＴＳＣライン同期信号の干渉程度によって変わるＶＳＢシンボルの信頼性に比例するチャンネル状態情報信号を、前記補償されたＶＳＢ信号から生成する。前記トレリスデコーダは、前記補償されたＶＳＢ信号及び前記チャンネル状態情報信号を利用して、ＴＣＭデコーディングして、前記トレリスデコーディングされた信号を生成する。前記ＤＴＶ受信機は、前記チャンネル状態情報信号及び前記補償されたＶＳＢ信号を利用して第２エラー信号を生成する信頼性決定部をさらに具備し、前記決定フィードバック等化器は、前記トレリスデコーディングされた信号及び前記第２エラー信号を利用して、前記入力ＶＳＢ信号のシンボル間干渉を補償し、前記補償されたＶＳＢ信号を生成することを特徴とする。
【００１１】
前記のさらに他の技術的課題を達成するための、本発明の一面によるチャンネル状態の評価方法は、入力信号を、複数のレベルのうちいずれか一つに量子化するステップと、前記入力信号から前記量子化された信号を減算してエラー信号を生成するステップと、前記エラー信号の自乗値を計算するステップと、現在エラー信号の自乗値と、ＮＴＳＣ水平走査周期以前のエラー信号の自乗値とを平均化して、平均値を生成するステップと、前記平均値から、前記エラー信号に反比例する信号を、チャンネル状態情報信号として生成するステップと、を具備することを特徴とする。
【００１２】
前記のさらに他の技術的課題を達成するための、本発明の他の一面によるチャンネル状態の評価方法は、入力信号を第１遅延時間だけ遅延させて、第１遅延された信号を出力するステップと、前記第１遅延された信号から、トレリスデコーディングされた信号を減算して、エラー信号を生成するステップと、前記エラー信号の自乗値を計算するステップと、現在エラー信号の自乗値と、ＮＴＳＣ水平走査周期以前のエラー信号の自乗値とを平均化して、平均値を生成するステップと、前記平均値から、前記エラー信号に反比例する信号を、チャンネル状態情報信号として生成するステップと、を具備することを特徴とする。
【００１３】
前記のさらに他の技術的課題を達成するための、本発明によるＤＴＶ放送信号の受信方法は、トレリスデコーディングされた信号を利用して、入力ＶＳＢ信号のシンボル間干渉を補償し、補償されたＶＳＢ信号を生成するステップと、ＮＴＳＣライン同期信号の干渉程度によって変わるＶＳＢシンボルの信頼性に比例するチャンネル状態情報信号を、前記補償されたＶＳＢ信号から生成するステップと、前記補償されたＶＳＢ信号及び前記チャンネル状態情報信号を利用して、ＴＣＭデコーディングし、前記トレリスデコーディングされた信号を生成するステップと、を具備することを特徴とする。前記ＤＴＶ受信方法は、前記チャンネル状態情報信号及び前記補償されたＶＳＢ信号を利用して、第２エラー信号を生成するステップをさらに具備し、前記補償されたＶＳＢ信号は、前記トレリスデコーディングされた信号及び前記第２エラー信号が利用されて生成されることを特徴とする。
【発明の効果】
【００１４】
本発明によるＤＴＶ受信機は、受信されたＶＳＢ信号がＮＴＳＣ同チャンネル干渉の影響を受ける場合に、従来技術に比べてＳＥＲ ０．６ｄＢ以上のシステム性能を改善できる。また、ＡＷＧＮ環境下でも、性能減少はなく優秀な特性を表わす。
【発明を実施するための最良の形態】
【００１５】
本発明と本発明の動作上の利点及び本発明の実施によって達成される目的を十分に理解するためには、本発明の望ましい実施形態を例示する添付図面及び図面に記載された内容を参照しなければならない。
以下、添付した図面を参照して、本発明の望ましい実施形態を説明することによって、本発明を詳細に説明する。各図面に付された同一参照符号は同一部材を表わす。
【００１６】
図３は、本発明の一実施形態によるチャンネル状態生成部３０５を具備するＤＴＶ受信機３００を示すブロック図である。図３を参照すれば、ＤＴＶ受信機３００は、チューナ３０１、ＶＳＢ復調器３０２、同期及びタイミング復元器３０３、決定フィードバック等化器３０４、チャンネル状態の生成回路３０５、４状態トレリスデコーダ３０６、デインターリーバ３０７、及びＲＳデコーダ３０８を具備する。
【００１７】
チューナ３０１は、アナログ放送信号（例えば、ＮＴＳＣ信号）及びデジタル放送信号（例えば、８−ＶＳＢ信号）が同じチャンネル（同チャンネル）に割り当てられている地上波を受信し、デジタルストリーム形態の信号に変換して出力する。ＶＳＢ復調器３０２は、２進位相シフトキーイング（Ｂｉｎａｒｙ Ｐｈａｓｅ Ｓｈｉｆｔ Ｋｅｙｉｎｇ：ＢＰＳＫ）、直交位相シフトキーイング（Ｑｕａｄｒａｔｕｒｅ Ｐｈａｓｅ Ｓｈｉｆｔ Ｋｅｙｉｎｇ：ＱＰＳＫ）、直交振幅変調（Ｑｕａｄｒａｔｕｒｅ Ａｍｐｌｉｔｕｄｅ Ｍｏｄｕｌａｔｉｏｎ：ＱＡＭ）のような変調方式でチューナ３０１のデジタルストリームを変調して、複素（Ｉ、及びＱ信号）形態のＶＳＢシンボルストリームを出力する。同期及びタイミング復元器３０３は、ＶＳＢシンボルストリームから、ＤＴＶのための水平同期信号及び垂直同期信号などの同期信号を抽出し、ＶＳＢシンボルを構成するキャリア及びシンボルタイム情報を抽出する。このような同期信号、キャリア及びシンボルタイム情報は、ＤＴＶ受信機３００を構成する各要素で、信号処理のための基準信号として使われる。
【００１８】
決定フィードバック等化器３０４は、４状態トレリスデコーダ３０６から出力されるトレリスデコーディングされた信号を利用し、入力ＶＳＢ信号のシンボル間干渉を補償して、補償されたＶＳＢ信号を生成する。決定フィードバック等化器３０４は、トレリスデコーディングされた信号を利用して、等化器係数をアップデートし、公知の最小自乗アルゴリズムにその係数を適用して、補償されたＶＳＢ信号を生成する。
【００１９】
チャンネル状態の生成回路３０５は、補償されたＶＳＢ信号からチャンネル状態情報信号ＣＳＩを生成する。チャンネル状態情報信号ＣＳＩは、補償されたＶＳＢ信号がＮＴＳＣ同チャンネル干渉の影響をどの程度受けたかを表わすＶＳＢシンボルの信頼性情報に該当する。すなわち、チャンネル状態情報信号ＣＳＩは、現在ＶＳＢシンボルの信頼性に比例する。本発明によるチャンネル状態の生成回路３０５は、後続するデコーダ３０６及び３０７でのデコーディングを改善するために提案された。後続するデコーダ３０６及び３０７は、チャンネル状態情報信号ＣＳＩを利用してデコーディングすることにより、入力ＶＳＢ信号からＮＴＳＣ同チャンネル干渉の影響が除去された、高いＳＮＲの信号を出力できる。例えば、もし、現在ＶＳＢシンボルがＮＴＳＣ同チャンネル干渉の影響を受けた場合には、チャンネル状態情報信号ＣＳＩは小さな値で現れる。もし、現在ＶＳＢシンボルがＮＴＳＣ同チャンネル干渉の影響を受けない場合には、チャンネル状態情報信号ＣＳＩは大きい値で現れる。
【００２０】
前述のように、ＮＴＳＣ同チャンネル干渉は、ＮＴＳＣライン同期信号の立ち上がり及び立ち下がりエッジによって主に発生する。例えば、ＮＴＳＣの場合に、ライン同期信号はＮＴＳＣ水平走査率を持つクロック信号であり、１５．７５ｋＨｚの周波数を持つ。ＰＡＬ、ＳＥＣＡＭ、ＨＤＴＶ方式それぞれも、ライン同期信号に対する相異なる固有周波数を持つ。ＡＴＳＣ−ＨＤＴＶ規格によれば、ＮＴＳＣライン同期信号の周期は、８−ＶＳＢ信号の６８４シンボルに該当する。
【００２１】
前述のようなチャンネル状態の生成回路３０５については、図４を参照してさらに詳細に説明される。特に、チャンネル状態の生成回路３０５が、補償されたＶＳＢ信号からチャンネル状態情報信号ＣＳＩを生成する時、４状態トレリスデコーダ３０６から出力されるトレリスデコーディングされた信号を利用する場合については、図５を参照して詳細に説明される。
【００２２】
一方、４状態トレリスデコーダ３０６は、決定フィードバック等化器３０４から出力される補償されたＶＳＢ信号、及びチャンネル状態の生成回路３０５から出力されるチャンネル状態情報信号ＣＳＩを利用して、ＴＣＭデコーディングして、トレリスデコーディングされた信号を生成する。トレリスデコーディングされた信号は、決定フィードバック等化器３０４及びデインターリーバ３０７に入力される。ここで、ＴＣＭデコーディングとは、ＢＰＳＫ、ＱＰＳＫ、ＱＡＭなどの変調方式によってビタビアルゴリズムを利用して、所定のデマッピングのためのブランチ・メトリック計算を行うことである。このようなＴＣＭデコーディングについては、本発明の範囲を逸脱するので説明を省略するが、当業者ならば、一般的な通信理論によってよく理解できるであろう。本発明のチャンネル状態情報信号ＣＳＩによって、４状態トレリスデコーダ３０６は、数式１のように新たなブランチ・メトリック計算を行う。数式１で、ＢＭｋ（ＮＥＷ）は、本発明による新たなブランチ・メトリック値、ＢＭｋは、図１または図２のような従来技術によるブランチ・メトリック値、及びＣＳＩｋは、チャンネル状態の生成回路３０５から出力されるチャンネル状態情報信号ＣＳＩ、及びｋは、現在処理されるＶＳＢシンボルインデックスである。
【００２３】
＜数１＞
ＢＭｋ（ＮＥＷ）＝ＣＳＩｋ＊ＢＭｋ
【００２４】
デインターリーバ３０７は、４状態トレリスデコーダ３０６から出力されるトレリスデコーディングされた信号を所定アルゴリズムによってデインターリービングし、ＲＳデコーダ３０８は、デインターリービングされた信号に対して、ＲＳアルゴリズムによるエラー訂正などを行って、処理された信号を出力する。所定信号処理部は、ＲＳデコーダ３０８から出力される信号を利用して、ＤＴＶでのディスプレイまたはオーディオ出力のためのライン同期信号、垂直同期信号、イメージ信号、オーディオ信号などを生成し、これらの信号は、ＬＣＤ（Ｌｉｑｕｉｄ Ｃｒｙｓｔａｌ Ｄｉｓｐｌａｙ）のようなディスプレイ装置に出力される。
【００２５】
図４は、図３のチャンネル状態の生成回路３０５を表わす一例である。図４を参照すれば、チャンネル状態の生成回路３０５は、８レベルスライサ４０２、減算器４０３、自乗器４０４、エラー平均化部４１０、及び反転部４０９を具備する。エラー平均化部４１０は、第１乗算器４０５、合算器４０６、６８４シンボル遅延部４０８、及び第２乗算器４０７を具備する。
【００２６】
８レベルスライサ４０２は、決定フィードバック等化器３０４から出力されるＶＳＢ入力信号を、複数のレベルのうちいずれか一つに量子化する。例えば、量子化された信号は、複数のレベル、すなわち、−７、−５、−３、−１、０、＋１、＋３、＋５、＋７のうちいずれか一つの値に量子化された信号である。減算器４０３は、決定フィードバック等化器３０４から出力されるＶＳＢ入力信号から、量子化された信号を減算して、エラー信号ＥＲＲを生成する。自乗器４０４は、エラー信号ＥＲＲの自乗値を計算する。エラー信号ＥＲＲの自乗値は、ＶＳＢシンボルの信頼性を表わす。
【００２７】
エラー平均化部４１０は、現在エラー信号ＥＲＲの自乗値と、ＮＴＳＣ水平走査周期以前のエラー信号ＥＲＲの自乗値とを平均化して、平均値を生成する。エラー平均化部４１０で、第１乗算器４０５は、自乗器４０４から出力される現在エラー信号ＥＲＲの自乗値と、第１係数１−αとを乗算して出力する。合算器４０６は、第２乗算器４０７の出力値と、第１乗算器４０５の出力値とを合算し、合算値を、エラー信号ＥＲＲの自乗値の平均値として出力する。６８４シンボル遅延部４０８は、合算器４０６の出力値を、ＮＴＳＣ水平走査周期（６８４シンボル期間）だけ遅延させて出力する。第２乗算器４０７は、遅延された信号と、第２係数αとを乗算して出力する。合算器４０６から出力されるエラー信号ＥＲＲの自乗値の平均値は、ＮＴＳＣ水平走査周期ごとに反復的にピークが現れる構造を持つ。ＮＴＳＣライン同期信号の立ち上がり及び立ち下がりエッジで、ＮＴＳＣ同チャンネル干渉が発生するためである。
【００２８】
図４に示すように、第１係数１−αと第２係数αとの和は１であり、αが１に近いほどシステム性能は良くなる。しかし、第１乗算器４０５及び第２乗算器４０７の回路複雑度を考慮して、αは１−１／２０２４であることが望ましく、この時、第１乗算器４０５及び第２乗算器４０７は、デジタル合算器及びシフトレジスタで容易に実現できる。
【００２９】
反転部４０９は、平均値から、エラー信号ＥＲＲに反比例する信号を、チャンネル状態情報信号ＣＳＩとして生成する。反転部４０９は、ＲＯＭ（Ｒｅａｄ Ｏｎｌｙ Ｍｅｍｏｒｙ）テーブルを利用して、平均値に反比例する値をチャンネル状態情報信号ＣＳＩとして生成する。平均値は、ＶＳＢシンボルの信頼性を表わすが、平均値は、エラー信号ＥＲＲの自乗値の平均値であるため、反転部４０９は、平均値を反転させて、信頼性に比例する値を生成する。合算器４０６から出力される平均値が、ＮＴＳＣ水平走査周期ごとに反復的にピークが現れる構造を持つので、チャンネル状態情報信号ＣＳＩも、反復的にピークが現れる構造を持つ（図７参照）。もし、現在シンボルが、ＮＴＳＣライン同期信号の干渉影響を受けた場合には、エラー信号ＥＲＲは、平均的に強いパワーを持ち、このような現在シンボルについてのチャンネル状態情報信号ＣＳＩは、小さな値で現れる。もし、現在シンボルが、ＮＴＳＣライン同期信号の干渉影響を受けない場合には、エラー信号ＥＲＲは、平均的に小さなパワーを持ち、このような現在シンボルについてのチャンネル状態情報信号ＣＳＩは、大きい値で現れる。
【００３０】
前述のように、チャンネル状態の生成回路３０５は、決定フィードバック等化器３０４から出力される補償されたＶＳＢ信号を、所定レベルに量子化し、補償されたＶＳＢ信号から量子化された信号を減算して、エラー信号ＥＲＲを生成し、現在エラー信号ＥＲＲの自乗値と、ＮＴＳＣ水平走査周期以前のエラー信号ＥＲＲの自乗値とを平均化して、平均値から、エラー信号ＥＲＲに反比例する信号を、チャンネル状態情報信号ＣＳＩとして生成する。
【００３１】
図５は、図３のチャンネル状態の生成回路３０５を表わす他の例である。図５を参照すれば、チャンネル状態の生成回路３０５は、第１遅延部（ＤＥＬＡＹ）５０２、減算器５０３、自乗器５０４、エラー平均化部５１０、及び反転部５０９を具備する。エラー平均化部５１０は、第１乗算器５０５、合算器５０６、第２遅延部５０８、及び第２乗算器５０７を具備する。ここでは、図４の８レベルスライサ４０２の出力の代りに、４状態トレリスデコーダ３０６の出力を利用して、エラー信号ＥＲＲを生成する。４状態トレリスデコーダ３０６でデコーディングされた信号は、８レベルスライサ４０２の出力よりさらに信頼性があるので、図５のように、チャンネル状態の生成回路３０５を構成すれば、システム性能の改善にさらに有利であるということは、当業者ならば、十分に理解できるであろう。
【００３２】
第１遅延部５０２は、決定フィードバック等化器３０４から出力される補償されたＶＳＢ入力信号を、第１遅延時間Ｄｔｒｅｌｌｉｓだけ遅延させて、第１遅延された信号を出力する。第１遅延時間Ｄｔｒｅｌｌｉｓは、図５に示すように、４状態トレリスデコーダ３０６が、チャンネル状態情報信号ＣＳＩを利用して、補償されたＶＳＢ入力信号を処理する時間に該当する。４状態トレリスデコーダ３０６からのトレリスデコーディングされた信号は、減算器５０３に入力される。減算器５０３は、第１遅延された信号からトレリスデコーディングされた信号を減算して、エラー信号ＥＲＲを生成する。自乗器５０４は、エラー信号ＥＲＲの自乗値を計算する。
【００３３】
エラー平均化部５１０は、５に示すように、現在エラー信号ＥＲＲの自乗値と、ＮＴＳＣ水平走査周期以前のエラー信号ＥＲＲの自乗値とを平均化して、平均値を生成する。エラー平均化部５１０で、第１乗算器５０５は、自乗器５０４から出力される現在エラー信号ＥＲＲの自乗値と、第１係数１−αとを乗算して出力する。合算器５０６は、第２乗算器５０７の出力値と、第１乗算器５０５の出力値とを合算して出力する。第２遅延部５０８は、図４の６８４シンボル遅延部４０８と同じく、合算器５０６の出力値を、第２遅延時間（６８４シンボル期間−Ｄｔｒｅｌｌｉｓ）だけ遅延させて、エラー信号ＥＲＲの自乗値の平均値として出力し、第２遅延時間（６８４シンボル期間−Ｄｔｒｅｌｌｉｓ）だけ遅延された値を、第１遅延時間Ｄｔｒｅｌｌｉｓだけさらに遅延させて、第２遅延された信号を出力する。合算器５０６の出力値を、第２遅延時間（６８４シンボル期間−Ｄｔｒｅｌｌｉｓ）だけ遅延させることは、決定フィードバック等化器３０４から出力される補償されたＶＳＢ入力信号及びチャンネル状態情報信号ＣＳＩが、４状態トレリスデコーダ３０６に入力される時間をアラインさせるためである。第２乗算器５０７は、第２遅延された信号と第２係数αとを乗算して出力する。第２遅延された信号は、合算器５０６の出力がＮＴＳＣ水平走査周期（６８４シンボル期間）だけ遅延された信号である。合算器５０６の出力値が第２遅延時間（６８４シンボル期間−Ｄｔｒｅｌｌｉｓ）だけ遅延されたエラー信号ＥＲＲの自乗値の平均値は、図４の合算器４０６の出力と同じく、ＮＴＳＣ水平走査周期ごとに反復的にピークが現れる構造を持つ。ＮＴＳＣライン同期信号の立ち上がり及び立ち下がりエッジで、ＮＴＳＣ同チャンネル干渉が発生するためである。図４と同じく、第１乗算器５０５及び第２乗算器５０７に入力される第１係数と第２係数との和は、１であり、αは、１−１／２０２４であることが望ましい。
【００３４】
反転部５０９は、平均値から、エラー信号ＥＲＲに反比例する信号をチャンネル状態情報信号ＣＳＩとして生成する。反転部５０９は、平均値を反転させて、信頼性に比例する値を生成する。第２遅延部５０８から出力される平均値が、ＮＴＳＣ水平走査周期ごとに反復的にピークが現れる構造を持つので、チャンネル状態情報信号ＣＳＩも反復的にピークが現れる構造を持つ（図７参照）。
【００３５】
前述のように、図５のチャンネル状態の生成回路３０５は、補償されたＶＳＢ信号及びトレリスデコーディングされた信号を利用して、エラー信号ＥＲＲを生成し、現在エラー信号ＥＲＲの自乗値と、ＮＴＳＣ水平走査周期以前のエラー信号ＥＲＲの自乗値とを平均化して、平均値から、エラー信号ＥＲＲに反比例する信号を、チャンネル状態情報信号ＣＳＩとして生成する。
【００３６】
図６は、本発明の他の実施形態によるＤＴＶ受信機６００を示すブロック図である。図６を参照すれば、ＤＴＶ受信機６００は、チューナ６０１、ＶＳＢ復調器６０２、同期及びタイミング復元器６０３、決定フィードバック等化器６０４、信頼性決定部６０５、チャンネル状態の生成回路６０６、４状態トレリスデコーダ６０７、デインターリーバ６０８、及びＲＳデコーダ６０９を具備する。ＤＴＶ受信機６００が信頼性決定部６０５を具備することを除いて、図３と同様である。ＤＴＶ受信機６００の各部の動作は、図３の各部の動作と同一である。但し、信頼性決定部６０５及び、それに関連した決定フィードバック等化器６０４の動作が図３と異なるので、それについて説明する。
【００３７】
ＤＴＶ受信機６００は、同チャンネル干渉を起こすＮＴＳＣライン同期信号の立ち上がり及び立ち下がりエッジ期間の間に、決定フィードバック等化器６０４が等化器係数をアップデート不可にするために提案された。決定フィードバック等化器６０４が、ＮＴＳＣライン同期信号の立ち上がり及び立ち下がりエッジ期間の間に、等化器係数をアップデートすれば、エラーが大きくなる原因となる。そのために、信頼性決定部６０５は、チャンネル状態の生成回路６０６から出力されるチャンネル状態情報信号ＣＳＩと、決定フィードバック等化器６０４から出力される補償されたＶＳＢ信号とを利用して、第２エラー信号ＲＥＲＲを生成し、これにより、決定フィードバック等化器６０４は、トレリスデコーダ６０７の出力及び第２エラー信号ＲＥＲＲを利用して、ＶＳＢ復調器６０２から出力されるＶＳＢ信号のシンボル間干渉を補償し、次のシンボルについての補償されたＶＳＢ信号を生成する。決定フィードバック等化器６０４は、トレリスデコーダ６０７の出力及び第２エラー信号ＲＥＲＲを利用し、等化器係数をアップデートして補償されたＶＳＢ信号を生成する。
【００３８】
信頼性決定部６０５は、スケーリング部７０１、決定部７０２、減算器７０３、及び乗算器７０４を具備する。決定部７０２は、決定フィードバック等化器６０４から出力される補償されたＶＳＢ信号を、複数のレベルのうちいずれか一つに量子化する。決定部７０２は、図４の８レベルスライサ４０２と類似して、複数のレベル、すなわち、−７、−５、−３、−１、０、＋１、＋３、＋５、＋７のうちいずれか一つの値に量子化された信号を出力できる。減算器７０３は、補償されたＶＳＢ信号から、決定部７０２の出力を減算して出力する。乗算器７０４は、減算器７０３から出力される予備エラー信号ＰＥＲＲと、スケーリング部７０１でスケーリングされた信号とを乗算し、乗算された信号を、第２エラー信号ＲＥＲＲとして出力する。スケーリング部７０１は、チャンネル状態情報信号ＣＳＩを所定レベルでスケーリングして出力する。スケーリング部７０１の出力は、既定の複数のレベルのうちいずれか一つでありうる。ハードウェアでの実現を簡単にするために、スケーリング部７０１は、２レベル（０／１）量子化器で実現できる。例えば、チャンネル状態情報信号ＣＳＩが所定臨界値より小さければ、較正された第２エラー信号ＲＥＲＲは、０値を持ち、チャンネル状態情報信号ＣＳＩが所定臨界値より大きければ、較正された第２エラー信号ＲＥＲＲは、「１」値を持つ。
【００３９】
このように、信頼性決定部６０５は、較正された第２エラー信号ＲＥＲＲを生成し、決定フィードバック等化器６０４は、第２エラー信号ＲＥＲＲの大きさによって、等化器係数のアップデート量を決定する。例えば、ＮＴＳＣライン同期信号の立ち上がり及び立ち下がりエッジ期間の間には、チャンネル状態情報信号ＣＳＩのサイズは小さく、これにより、較正された第２エラー信号ＲＥＲＲのサイズも小さくなり、決定フィードバック等化器６０４は、等化器係数のアップデート量を減らすか、またはまったくアップデートしないこともある。
【００４０】
図７は、ＮＴＳＣ同チャンネル干渉を持つチャンネル及びＡＷＧＮ環境下のチャンネルで、チャンネル状態情報信号ＣＳＩを表わす波形図である。図７を参照すれば、ＮＴＳＣ同チャンネル干渉を持つチャンネルで、チャンネル状態情報信号ＣＳＩは、ＮＴＳＣ水平走査周期ごとに反復的に低いレベルのピークを持つ。ＮＴＳＣライン同期信号の立ち上がり及び立ち下がりエッジで、ＮＴＳＣ同チャンネル干渉が発生するからである。一方、ＡＷＧＮ環境下のチャンネルでは、チャンネル状態情報信号ＣＳＩは、ほぼ一定の小さなレベルを持つので、ＤＴＶ受信機３００及び６００の性能に影響を及ぼさない。
【００４１】
図８は、ＮＴＳＣ同チャンネル干渉を持つチャンネルで、従来技術と本発明とのシンボルエラー率（ＳＥＲ：Ｓｙｍｂｏｌ Ｅｒｒｏｒ Ｒａｔｅ）を比較するグラフである。図８を参照すれば、受信されたＶＳＢ信号がＮＴＳＣ同チャンネル干渉の影響を受ける場合に、従来技術に比べて、ＳＥＲ ０．６ｄＢ以上のシステム性能向上を示す。
【００４２】
図９は、ＡＷＧＮ環境下のチャンネルで、従来技術と本発明とのＳＥＲを比較するグラフである。図９を参照すれば、ＡＷＧＮ環境下では、従来技術に比べて性能の減少はなく、優秀な特性を示すことが分かる。
【００４３】
前述のように、本発明の一実施形態によるＤＴＶ受信機３００及び６００では、チャンネル状態の生成回路３０５及び６０６が、決定フィードバック等化器３０４及び６０４の出力からチャンネル状態情報信号ＣＳＩを生成し、ブランチ・メトリック計算を行うトレリスデコーダ３０６及び６０７に出力する。チャンネル状態の生成回路３０５及び６０６では、決定フィードバック等化器３０４及び６０４の出力、及びその出力が所定レベルに量子化された値、またはトレリスデコーディングされた信号から、エラー信号ＥＲＲを生成する。チャンネル状態の生成回路３０５及び６０６は、現在エラー信号ＥＲＲの自乗値と６８４シンボル以前エラー信号ＥＲＲの自乗値とを平均し、平均化された信号の反転値を、チャンネル状態情報信号ＣＳＩとして出力する。前記チャンネル状態情報信号ＣＳＩは、処理されている現在８−ＶＳＢシンボルの信頼性に比例する。もし、現在シンボルがＮＴＳＣライン同期信号の干渉影響を受けた場合には、エラー信号ＥＲＲは、平均的に強いパワーを持ち、このような現在シンボルについてのチャンネル状態情報信号ＣＳＩは、小さな値で現れる。もし、現在シンボルがＮＴＳＣライン同期信号の干渉影響を受けない場合には、エラー信号ＥＲＲは、平均的に小さなパワーを持ち、このような現在シンボルについてのチャンネル状態情報信号ＣＳＩは、大きい値で現れる。このように、ＤＴＶ受信機３００及び６００は、改善されたＳＮＲを獲得するために、ＮＴＳＣ信号の周期的特性を利用する。
【００４４】
以上のように、図面及び明細書で最適の実施形態が開示された。ここで特定の用語が使われたが、これは単に本発明を説明するための目的で使われたものであり、意味限定や特許請求の範囲に記載された本発明の範囲を制限するために使われたものではない。したがって、当業者ならば、これより多様な変形及び均等な他の実施形態が可能であるという点を理解できるであろう。したがって、本発明の真の技術的保護範囲は、特許請求の範囲の技術的思想により定められなければならない。
【産業上の利用可能性】
【００４５】
本発明による受信機及びチャンネル状態の生成回路は、ＤＴＶ関連技術分野に好適に用いられる。
【図面の簡単な説明】
【００４６】
【図１】従来のＤＴＶ受信機を表わす一例を示す図である。
【図２】従来のＤＴＶ受信機を表わす他の例を示す図である。
【図３】本発明の一実施形態によるチャンネル状態生成部を具備するＤＴＶ受信機を示すブロック図である。
【図４】図３のチャンネル状態の生成回路を表わす一例を示す図である。
【図５】図３のチャンネル状態の生成回路を表わす他の例を示す図である。
【図６】本発明の他の実施形態によるＤＴＶ受信機を示すブロック図である。
【図７】ＮＴＳＣ同チャンネル干渉を持つチャンネル及びＡＷＧＮ環境下のチャンネルで、チャンネル状態情報信号を示す波形図である。
【図８】ＮＴＳＣ同チャンネル干渉を持つチャンネルで、従来技術と本発明とのＳＥＲを比較するグラフである。
【図９】ＡＷＧＮ環境下のチャンネルで、従来技術と本発明とのＳＥＲを比較するグラフである。
【符号の説明】
【００４７】
３００  ＤＴＶ受信機
３０１  チューナ
３０２  ＶＳＢ復調器
３０３  同期及びタイミング復元器
３０４  決定フィードバック等化器
３０５  チャンネル状態の生成回路
３０６  ４状態トレリスデコーダ
３０７  デインターリーバ
３０８  ＲＳデコーダ
【図１】
0004654067.tif 000002
【図２】
0004654067.tif 000003
【図３】
0004654067.tif 000004
【図４】
0004654067.tif 000005
【図５】
0004654067.tif 000006
【図６】
0004654067.tif 000007
【図７】
0004654067.tif 000008
【図８】
0004654067.tif 000009
【図９】
0004654067.tif 000010